(57)【要約】      （修正有）【課題】極めて簡便な構造によってサッシの室外側に簡易に設置でき、台風などの暴風雨に長時間さらされても、サッシ下の隙間から雨水が室内に侵入する吹き上げを完全に防止することができる吹上防止板を提供する。【解決手段】サッシの室外側に設置され、室外からの吹き上げによって、サッシの隙間から雨水が室内に侵入するのを防止する吹上防止板１であって、水平方向に長い平板状に形成された吹上防止板本体２からなり、吹上防止板本体２の左右の短辺側には留め金具３が取り付けられており、サッシの縦枠を留め金具３で挟むようにして吹上防止板本体２をサッシに固定して設置した。【選択図】図２
2015004218.tif 000002
【特許請求の範囲】
【請求項１】
サッシの室外側に設置され、室外からの吹き上げによって、サッシの隙間から雨水が室内に侵入するのを防止する吹上防止板であって、
水平方向に長い平板状に形成された吹上防止板本体からなり、
吹上防止板本体の左右の短辺側には留め金具が取り付けられており、
サッシの縦枠を留め金具で挟むようにして吹上防止板本体をサッシに固定して設置する
ことを特徴とする吹上防止板。
【請求項２】
サッシの室外側に設置され、室外からの吹き上げによって、サッシの隙間から雨水が室内に侵入するのを防止する吹上防止板であって、
水平方向に長い平板状に形成された吹上防止板本体からなり、
吹上防止板本体の左右の短辺側には留め金具が取り付けられ、
吹上防止板本体の上方の長辺側にはサッシとの隙間を塞ぐ弾性部材が取り付けられ、
サッシの縦枠を留め金具で挟むようにして吹上防止板本体をサッシに固定して設置したときに、
弾性部材が反り返るように撓むことで吹上防止板本体とサッシとの隙間を塞ぐ
ことを特徴とする吹上防止板。
【請求項３】
サッシの室外側に設置され、室外からの吹き上げによって、サッシの隙間から雨水が室内に侵入するのを防止する吹上防止板であって、
水平方向に長い平板状に形成された吹上防止板本体からなり、
吹上防止板本体の左右の短辺側には留め金具と緩衝部材が取り付けられ、
吹上防止板本体の上方の長辺側にはサッシとの隙間を塞ぐ弾性部材が取り付けられ、
サッシの縦枠を留め金具で挟むようにして吹上防止板本体をサッシに固定して設置したときに、
弾性部材が反り返るように撓むことで吹上防止板本体とサッシとの隙間を塞ぎ、
緩衝部材が吹上防止板本体とサッシの縦枠との隙間を密に塞ぐとともに強風による吹上防止板に対する衝撃を吸収する
ことを特徴とする吹上防止板。
【請求項４】
サッシの室外側に設置され、室外からの吹き上げによって、サッシの隙間から雨水が室内に侵入するのを防止する吹上防止板であって、
水平方向に長い平板状に形成された吹上防止板本体からなり、
吹上防止板本体の左右の短辺側には留め金具が取り付けられ、
吹上防止板本体の左右の短辺側には下端部に隙間を設けるようにしてサッシとの隙間を塞ぐ緩衝部材が取り付けられ、
吹上防止板本体の上方の長辺側にはサッシとの隙間を塞ぐ弾性部材が取り付けられ、
サッシの縦枠を留め金具で挟むようにして吹上防止板本体をサッシに固定して設置したときに、
弾性部材が反り返るように撓むことで吹上防止板本体とサッシとの隙間を塞ぎ、
緩衝部材が吹上防止板本体とサッシの縦枠との隙間を密に塞ぐとともに、下端側に設けられた隙間から吹上防止板本体とサッシの間に浸入した雨水を排出するほか、強風による吹上防止板に対する衝撃を吸収する
ことを特徴とする吹上防止板。
【請求項５】
前記の吹上防止板本体が、
上下左右の四辺の枠体と、
左右の枠体のそれぞれに結合されている２枚のスライド板とからなり、
２枚のスライド板が、枠体に沿ってスライド可能に重ね合わされていることで伸張できる
ことを特徴とする請求項１乃至４のいずれかの項に記載の吹上防止板。
【請求項６】
前記の留め金具が、
一方の端部が吹上防止板本体への取付面となり、取付面から連続した一枚の板状の他方の端部がサッシの縦枠への挟持面となり、
取付面に対し、挟持面が浮き上がるようにクランク状に屈曲した形状をなしており、
取付面、挟持面のそれぞれに設けられた長孔にビスを挿して留め、サッシの縦枠を挟むようにして吹上防止板本体をサッシに固定して設置する
ことを特徴とする請求項１乃至５のいずれかの項に記載の吹上防止板。
【請求項７】
前記の弾性部材が、
複数の帯状からなり、並列に取り付けられている
ことを特徴とする請求項１乃至６のいずれかの項に記載の吹上防止板。
【発明の詳細な説明】
【技術分野】
【０００１】
本発明は、サッシの室外側に設置され、室外からの吹き上げによって、サッシの隙間から雨水が室内に侵入するのを防止する吹上防止板に関するものである。
【背景技術】
【０００２】
従来から、強風時には、室内の気圧が室外の気圧よりも低くなると、圧力差によってサッシの下枠部分から雨水が吹き上げられ、室内に雨水が浸入するという問題があった。
そこで、強風時の吹き上げによって室内に雨水が浸入しない種々の方策が考えられている。
【０００３】
例えば、特許文献１には、既設のサッシの最低部の外側に、サッシ下面からサッシ下のレールに向かって垂らしたゴムパッキンをＬ型アングルで挟むようにして取り付けた打ち雨防止パッキンが開示されている。
これによれば、サッシ下のレール付近に生じる隙間をゴムパッキンが塞ぐことで、室内への雨水の浸入を防ぐことができる。
【先行技術文献】
【特許文献】
【０００４】
【特許文献１】特開２００６−１１８３３０号公報
【発明の概要】
【発明が解決しようとする課題】
【０００５】
しかし、特許文献１に係る発明のように、サッシ下のレール付近に生じる隙間のうち、下方だけをゴムパッキンで塞いだ程度では、雨水の浸入を防ぐことなど到底できない。
例えば、台風による暴風は、風の向きが一定せず、あらゆる方向から風が吹くが、この場合、サッシ下の隙間の下方だけ塞いでも、左右の隙間から雨水が浸入し、吹き上げによって室内に雨水が浸入してしまう。
また、台風などの暴風雨に長時間さらされた場合、時間をかけて、あらゆる方向から強風による負荷がかかるため、ゴムパッキンが反り返ったり、外れることは容易に予想でき、雨水の浸入を防ぐという目的は到底果たし得ない。
【０００６】
そもそも、雨水の吹き上げは、室内と室外の気圧差によってサッシの下枠付近から猛烈な勢いで雨水が吹き上げられて、室内に雨水が浸入するという現象であるため、室外側のサッシの下枠から一定の高さまでの範囲を強固に塞ぐ必要がある。
つまり、サッシ下の隙間ではなく、サッシの下枠付近の一定の範囲を強固に塞ぐ必要があり、この範囲を塞げば、サッシ下の隙間から雨水が室内に侵入する吹き上げは防止できる。
【０００７】
そこで、本発明は、上記の問題に鑑み、極めて簡便な構造によってサッシの室外側に簡易に設置できる吹上防止板であって、台風などの暴風雨に長時間さらされても、サッシ下の隙間から雨水が室内に侵入する吹き上げを完全に防止することができる吹上防止板を提供することを課題とする。
【課題を解決するための手段】
【０００８】
本発明における「サッシ」とは、窓枠にガラスなどを嵌め込んで用いる窓を意味し、引き違い窓や出窓などの種類を限定するものではない。
【０００９】
本発明は、
サッシの室外側に設置され、室外からの吹き上げによって、サッシの隙間から雨水が室内に侵入するのを防止する吹上防止板であって、
水平方向に長い平板状に形成された吹上防止板本体からなり、
吹上防止板本体の左右の短辺側には留め金具が取り付けられており、
サッシの縦枠を留め金具で挟むようにして吹上防止板本体をサッシに固定して設置する
ことを特徴とする吹上防止板である。
【００１０】
本発明に係る吹上防止板は、水平方向に長い平板状に形成された吹上防止板本体からなる。
平板状の吹上防止板本体を、サッシの下枠付近の室外側に立設させた状態で設置する。
水平方向に長い平板状に形成された吹上防止板本体は、一枚の板状のものでよく、アルミ板などでも良い。
また、強度を高めるために、吹上防止板本体の四辺には、角パイプなどを使って枠体を使用することができる。
吹上防止板本体の水平方向の長さ（横幅）は、サッシ全体の横幅に合わせた長さとする。
サッシ全体の横幅が長いときは、吹上防止板本体を複数個、水平方向に連結させることもできる。
吹上防止板本体の鉛直方向の長さ（高さ）は、サッシ下枠の見付寸法以上の高さとする。
吹上防止板本体の鉛直方向の長さ（高さ）が、サッシ下枠の見付寸法以下であった場合、強風のたびに風圧によって吹上防止板がぶれるなどの振動が発生し、設置した吹上防止板が不安定になり、サッシから外れて飛んでしまうおそれがある。
そこで、一般的なサッシ下枠の見付寸法が２〜８ｃｍであることから、吹上防止板本体の鉛直方向の長さ（高さ）が１０ｃｍ程度あれば、強風時でも強度を維持したまま安定した状態で吹上防止板を使用できる。
吹上防止板本体の横幅、高さについては、以下の発明においても同様とする。
【００１１】
吹上防止板本体は、左右の短辺側に、留め金具が取り付けられている。
吹上防止板本体をサッシの下枠付近の室外側に立設させた状態で設置するため、吹上防止板本体と留め金具とでサッシの縦枠を挟む。
このようにして、吹上防止板本体を設置する。
留め金具は、サッシの縦枠を吹上防止板本体とによって挟んで吹上防止板本体を固定できるものであれば、どのようなものでも良い。
例えば、一枚の板状のアルミ板からなる留め金具によって、サッシの縦枠を吹上防止板本体とによって挟み、吹上防止板本体に留め金具をビスで留めることもできる。
【００１２】
本発明は、
サッシの室外側に設置され、室外からの吹き上げによって、サッシの隙間から雨水が室内に侵入するのを防止する吹上防止板であって、
水平方向に長い平板状に形成された吹上防止板本体からなり、
吹上防止板本体の左右の短辺側には留め金具が取り付けられ、
吹上防止板本体の上方の長辺側にはサッシとの隙間を塞ぐ弾性部材が取り付けられ、
サッシの縦枠を留め金具で挟むようにして吹上防止板本体をサッシに固定して設置したときに、
弾性部材が反り返るように撓むことで吹上防止板本体とサッシとの隙間を塞ぐ
ことを特徴とする吹上防止板である。
【００１３】
本発明は、前記の発明に対して、さらに吹上防止板本体の上方の長辺側にサッシとの隙間を塞ぐ弾性部材が取り付けられていることを特徴とする。
吹上防止板本体に弾性部材が取り付けられることで、吹上防止板本体をサッシに設置したとき、弾性部材が反り返るように撓んでサッシに密着して、吹上防止板本体とサッシとの隙間を塞ぐことができる。
サッシ下の隙間から雨水が室内に侵入する吹き上げを完全に防止することは、前記発明でも十分果たすことができるが、サッシと吹上防止板本体との間に隙間があると、空から降ってくる雨がサッシと吹上防止板本体との間に入り込み、サッシの下枠部分に雨水が溜まってしまう。
万一、室内と室外の気圧差が大きくなって、サッシの室外側からの吹き上げが強くなった場合、溜まった雨水が室内に侵入しないとも限らない。
そこで、吹上防止板本体の上方から入り込む雨水の浸入を防ぐことで、サッシ下の隙間から雨水が室内に侵入する吹き上げを完全に防止できる。
【００１４】
弾性部材は、吹上防止板本体の上辺側に、サッシ側に向かって取り付けられる。
この弾性部材の取り付け位置は、サッシ下枠の見付寸法以上の高さとする。
弾性部材の取り付け位置がサッシ下枠の見付寸法以下であった場合、弾性部材が強風にさらされ、風圧によって弾性部材が吹上防止板本体から外れてしまうおそれがある。
そのため、吹上防止板本体の鉛直方向の長さ（高さ）がサッシ下枠の見付寸法以上あることが必要であり、具体的には、吹上防止板本体の高さは、設置面から１０ｃｍ程度の高さであることが望ましく、弾性部材は、この吹上防止板本体の上辺側に取り付けられる。
これにより、強風時でも弾性部材が吹上防止板本体から外れずに、安定した状態で雨水の浸入を防止できる。
弾性部材の取り付け位置については、以下の発明においても同様とする。
【００１５】
弾性部材は、サッシ側に向かって取り付けられ、サッシ側の先端はサッシに当接させ、弾性部材が反り返るように撓ませた状態で弾性部材の先端をサッシに密着させる。
したがって、弾性部材の短辺側の長さ（奥行）は、弾性部材の短辺側の先端がサッシに触れる程度では足りず、少なくとも吹上防止板本体とサッシの間の距離以上の長さにする必要がある。
少なくとも吹上防止板本体とサッシの間の距離以上の長さにすることで、吹上防止板を取り付けたとき、弾性部材が反り返るように撓んでサッシに密着する。
このようにして、吹上防止板の上方から、吹上防止板本体とサッシとの間の隙間に入り込む雨水の浸入を防ぐことができる。
弾性部材の長辺側の長さ（横幅）は、吹上防止板本体の横幅と同じ長さである。
弾性部材は、吹上防止板本体とサッシとの隙間を塞ぐことができれば、どのようなものであってもよく、例えばゴム素材で板状のものを使用できる。
【００１６】
本発明は、
サッシの室外側に設置され、室外からの吹き上げによって、サッシの隙間から雨水が室内に侵入するのを防止する吹上防止板であって、
水平方向に長い平板状に形成された吹上防止板本体からなり、
吹上防止板本体の左右の短辺側には留め金具と緩衝部材が取り付けられ、
吹上防止板本体の上方の長辺側にはサッシとの隙間を塞ぐ弾性部材が取り付けられ、
サッシの縦枠を留め金具で挟むようにして吹上防止板本体をサッシに固定して設置したときに、
弾性部材が反り返るように撓むことで吹上防止板本体とサッシとの隙間を塞ぎ、
緩衝部材が吹上防止板本体とサッシの縦枠との隙間を密に塞ぐとともに強風による吹上防止板に対する衝撃を吸収する
ことを特徴とする吹上防止板である。
【００１７】
本発明は、前記の発明に対して、さらに吹上防止板本体の左右の短辺側の、サッシの縦枠に接する部分に、緩衝部材が取り付けられていることを特徴とする。
吹上防止板本体に緩衝部材が取り付けられることで、吹上防止板本体とサッシの縦枠との隙間を密に塞ぐことができ、吹上防止板本体の側面方向からの雨水の侵入を防止するとともに、風圧による吹上防止板本体への衝撃を吸収し、吹上防止板本体とサッシの縦枠との間で風圧によるガタツキ音が生じるのを防ぐことができる。
緩衝部材は、吹上防止板本体とサッシの縦枠との隙間を密に塞ぎ、風圧による吹上防止板本体への衝撃を吸収できれば、どのようなものであってもよく、例えばスポンジやゴムなどを使用できる。
【００１８】
本発明は、
サッシの室外側に設置され、室外からの吹き上げによって、サッシの隙間から雨水が室内に侵入するのを防止する吹上防止板であって、
水平方向に長い平板状に形成された吹上防止板本体からなり、
吹上防止板本体の左右の短辺側には留め金具が取り付けられ、
吹上防止板本体の左右の短辺側には下端部に隙間を設けるようにしてサッシとの隙間を塞ぐ緩衝部材が取り付けられ、
吹上防止板本体の上方の長辺側にはサッシとの隙間を塞ぐ弾性部材が取り付けられ、
サッシの縦枠を留め金具で挟むようにして吹上防止板本体をサッシに固定して設置したときに、
弾性部材が反り返るように撓むことで吹上防止板本体とサッシとの隙間を塞ぎ、
緩衝部材が吹上防止板本体とサッシの縦枠との隙間を密に塞ぐとともに、下端側に設けられた隙間から吹上防止板本体とサッシの間に浸入した雨水を排出するほか、強風による吹上防止板に対する衝撃を吸収する
ことを特徴とする吹上防止板。
【００１９】
本発明は、緩衝部材が、吹上防止板本体の左右の短辺側（サッシの縦枠に接する部分）の全体に取り付けられるのではなく、サッシの下端側に隙間を残して、取り付けられることを特徴とする。
緩衝部材が、サッシの下端側に隙間を残して取り付けられることで、仮に吹上防止板本体とサッシの間に雨水が浸入しても、この隙間から雨水を排出することができる。
隙間の大きさは、雨水を排出できる程度であれば良い。
【００２０】
本発明は、
前記の吹上防止板本体が、
上下左右の四辺の枠体と、
左右の枠体のそれぞれに結合されている２枚のスライド板とからなり、
２枚のスライド板が、枠体に沿ってスライド可能に重ね合わされていることで伸張できる
ことを特徴とする吹上防止板である。
【００２１】
本発明は、吹上防止板本体が、スライドさせることで水平方向に伸張できることを特徴とするものである。
吹上防止板本体は、上下左右の四辺の枠体と、２枚のスライド板からなる。
左右の枠体には、２枚のスライド板がそれぞれ結合されている。
２枚のスライド板は重ね合わされているため、左右の枠体を水平方向に引っ張ると、左右の枠体のそれぞれに結合するスライド板が、上辺、下辺の枠体に沿ってスライドする。
これによって、吹上防止板本体を伸張することができる。
【００２２】
本発明は、
前記の留め金具が、
一方の端部が吹上防止板本体への取付面となり、取付面から連続した一枚の板状の他方の端部がサッシの縦枠への挟持面となり、
取付面に対し、挟持面が浮き上がるようにクランク状に屈曲した形状をなしており、
取付面、挟持面のそれぞれに設けられた長孔にビスを挿して留め、サッシの縦枠を挟むようにして吹上防止板本体をサッシに固定して設置する
ことを特徴とする吹上防止板である。
【００２３】
本発明は、吹上防止板本体に取り付けられた留め金具が、長孔がそれぞれ設けられた取付面と挟持面とがクランク状に屈曲した形状をなしていることを特徴とするものである。
留め金具がクランク状に屈曲した形状をなしていることで、一方の水平面に設けられた長孔にビスを挿して留めたときに、留め金具がバネのように撓み、サッシの縦枠への吹上防止板本体の取り付けが容易になる。
留め金具は、一枚の連続した板状の部材であり、一方の端部の水平面を吹上防止板本体に取り付け、他方の端部の水平面でサッシの縦枠を挟む。
この吹上防止板本体に取り付ける水平面を取付面、サッシの縦枠を挟む水平面を挟持面とする。
取付面と挟持面には、それぞれビス留め用の長孔が設けられている。
取付面と挟持面とは、同一水平面上にはなく、取付面を基準とすると、挟持面は若干浮き上がるようにクランク状に屈曲している。
そのため、サッシの縦枠を挟んで挟持面に設けられた長孔にビスを挿して留めたときに、クランク状に屈曲した留め金具の角度が徐々に小さくなり、吹上防止板本体への取付面の長孔の位置が徐々に移動する。
このとき、取付面にビスを挿していても、取付面に設けられた孔が長孔であるため、長孔の位置が徐々に移動してもビスを干渉することがない。
したがって、ビスの留め位置を気にすることなく、極めて簡単に吹上防止板本体を設置できる。
【００２４】
本発明は、
前記の弾性部材が、
複数の帯状からなり、並列に取り付けられている
ことを特徴とする吹上防止板である。
【００２５】
本発明は、弾性部材が、複数の帯状からなり、並列の状態で吹上防止板本体の上方の長辺側に取り付けられていることを特徴とする。
吹上防止板を取り付けるサッシは、引き違い窓のように複数のサッシからなるが、その場合、吹上防止板本体との間隔は、サッシ毎に異なる場合がある。
つまり、２枚のサッシからなる引き違い窓であれば、室外側のサッシに比べて室内側のサッシは、吹上防止板本体との距離が長い。
この場合、例えば、弾性部材が一枚の板状のゴム素材からなるものであれば、室外側のサッシと室内側のサッシとの境目に、距離の違いを原因とした隙間が生じてしまう。
そこで、例えば、一枚の板状のゴム素材からなる弾性部材が、複数の帯状に形成されていれば、帯状に形成された弾性部材が室外側のサッシと室内側のサッシとにそれぞれ密着し、室外側のサッシと室内側のサッシとの境目で、距離の違いを原因とした隙間が生じるようなことがない。
この帯状の弾性部材は、並列に取り付けられているが、上記した隙間は、室外側のサッシと室内側のサッシとの境目に生じるものであるから、もともと一枚からなる弾性部材のサッシの境目部分に切り込みを入れて、室外側と室内側のサッシにそれぞれ分かれて弾性部材が密着するようにすることもできる。
帯の幅は適宜設定でき、予め帯状に形成されていても、単に切り込みを入れるだけでも良い。
【発明の効果】
【００２６】
本発明に係る吹上防止板は、以下の効果を奏する。
１）極めて簡便な構造で、簡単にサッシの室外側に設置できる。
２）台風などの暴風雨に長時間さらされても、サッシ下の隙間から雨水が室内に侵入する吹き上げを完全に防止することができる。
３）サッシの縦枠への取り付けをビス留めだけで行うことができ、極めて容易に取り付けることができる。
４）吹き上げだけでなく、サッシと吹上防止板本体との隙間への雨水の浸入も防ぐことができる。
５）スライドさせることで、幅が大きいサッシにも取り付けることができる。
【図面の簡単な説明】
【００２７】
【図１】サッシの室外側に吹上防止板を設置した状態を示す外観図
【図２】吹上防止板を室内側から見た図
【図３】図２の吹上防止板を側面から見た図
【図４】吹上防止板をサッシの縦枠に取り付けた状態を示す概略断面図
【図５】留め金具の正面図
【図６】留め金具を側方から見た図
【図７】留め金具の外観斜視図
【図８】２枚のスライド板からなる吹上防止板を室外側から見た図
【図９】図８の吹上防止板を伸張させた状態を示す図
【図１０】図９の背面図
【図１１】図９のＡ−Ａ線切断部拡大端面図
【図１２】図９のＢ−Ｂ線切断部拡大端面図
【図１３】図９のＣ−Ｃ線切断部拡大端面図
【図１４】図９のＤ−Ｄ線切断部拡大端面図
【発明を実施するための形態】
【００２８】
図１乃至４は、室外からの吹き上げによって、サッシ下枠の隙間を通じて雨水が室内に侵入するのを防止する吹上防止板の実施例を示す図である。
図５乃至７は、留め金具の実施例を示す図である。
【００２９】
吹上防止板１は、吹上防止板本体２と、吹上防止板本体２に取り付けられた留め金具３、緩衝部材６、弾性部材７とからなる。
吹上防止板本体２は、アルミ製の角パイプを連結して高さ１０ｃｍ、奥行３ｃｍの平板状に形成したものを使用しているが、アルミ製の平板を一枚のみで構成されるものでも良いし、さらにその一枚の平板の四辺を角パイプなどの枠体で囲うこともできる。
これにより、吹上防止板１の強度を高めることができる。
【００３０】
弾性部材７は、ゴム板を使用している。
弾性部材７の長辺側の長さ（幅）は、吹上防止板本体２の長辺側の長さ（幅）と同じであり、サッシの幅と同じである。
弾性部材７の短辺側の長さ（奥行）は、吹上防止板本体２とサッシとの間の距離よりも長い。
そのため、吹上防止板１を設置した際、サッシ側に向かって取り付けられた弾性部材７が、反り返るように撓んでサッシに密着する。
このようにして、吹上防止板１の上方から、吹上防止板本体２とサッシとの間の隙間に入り込む雨水の浸入を防ぐことができる。
弾性部材７は、中央付近に切り込みを入れて、室内側のサッシと室外側のサッシのそれぞれに分けて密着するようにしている。
切り込みを入れない場合は、室内側と室外側のサッシの境目に隙間が生じ、サッシに密着させることができなくなってしまう。
そこで、切り込みを複数入れたり、予め帯状に成形した複数の弾性部材７を並列に取り付けることもできる。
【００３１】
緩衝部材６は、スポンジを使用している。
緩衝部材６は、吹上防止板本体２の左右の短辺側の、サッシの縦枠８に接する部分に、下端部分を空けて取り付けている。
緩衝部材６は、吹上防止板本体２とサッシの縦枠８との隙間を密に塞ぐことができ、吹上防止板本体２の側面方向からの雨水の侵入を防止するとともに、風圧による吹上防止板本体２への衝撃を吸収し、吹上防止板本体２がサッシの縦枠８と接触することによるガタツキ音を防ぐ役割を果たす。
また、吹上防止板本体２の左右の短辺側（サッシの縦枠８に接する部分）の全体に取り付けられるのではなく、下端部分を空けて取り付けられていることで、吹上防止板本体２とサッシの間に雨水が浸入しても、下端部分の隙間から雨水を排出できる。
隙間の長さは、雨水を排出できる程度であれば良い。
【００３２】
留め金具３は、アルミ板であり、吹上防止板本体２の左右の短辺側にビス４で留めして取り付けられる。
留め金具３は、吹上防止板本体２に螺接する取付面３ａから、サッシの縦枠８に当接する挟持面３ｂまで、連続したクランク形状をなしている。
取付面３ａ、挟持面３ｂともに、長孔５が設けられているが、この長孔５は、吹上防止板１を設置するうえで、次の重要な働きをする。
すなわち、吹上防止板１を設置するには、室内側から吹上防止板１に留め金具３の取付面３ａを当ててビス４で仮留めし、その後、サッシの縦枠８を挟むようにして留め金具３の挟持面３ｂを吹上防止板１に当ててビス４で仮留めする（図４（１）の状態）。
その後、留め金具３の挟持面３ｂを仮留めしたビス４を徐々に締めていくと、吹上防止板本体２が室内側に寄ってきて、サッシの縦枠８と吹上防止板本体２との距離が縮まり、最終的には、緩衝部材６がサッシの縦枠８と吹上防止板本体２との隙間を完全に塞いだ状態になる（図４（２）の状態）。
このとき、留め金具３の取付面３ａは、徐々に図４（２）の右側に移動するが、取付面３ａに設けられた孔が長孔５に形成されていることで、仮留めしたビス４は、その位置のまま取付面３ａだけが図４（２）の右側にスライドする。
そして、仮留めした留め金具３の取付面３ａを、しっかりと締めて、吹上防止板本体２を設置する。
このように、留め金具３が、取付面３ａから見たときに挟持面３ｂが少し浮き上がるようなクランク状に屈曲した形状をなしていることで、留め金具３全体がバネのように撓み、緩衝部材６がサッシの縦枠８と吹上防止板本体２との隙間を完全に塞ぐまで、取付面３ａをビス４で仮留めした状態のまま、挟持面３ｂをビス４で留めることができるという取り付け方法を可能にし、ビス４で留めただけで、安全、確実、簡単に、吹上防止板１を設置できる。
吹上防止板１を外すときは、留め金具３の取付面３ａ、挟持面３ｂのビス４を緩めるだけで、簡単に外すことができる。
【００３３】
図８乃至１４は、伸張可能な吹上防止板の実施例を示す図である。
【００３４】
伸張可能な吹上防止板１は、２枚のスライド板を重ね合わせている。
吹上防止板１は、上下、左右の枠体によってスライド板を囲っている。
それぞれのスライド板は、左右一方の枠体と、上下一方の枠体とに固定されている。
図９及び１０のようにスライドさせることで、吹上防止板１を伸張させて使用することができる。
【符号の説明】
【００３５】
１    吹上防止板
２    吹上防止板本体
３    留め金具
３ａ  留め金具の取付面
３ｂ  留め金具の挟持面
４    ビス
５    長孔
６    緩衝部材
７    弾性部材
８    サッシの縦枠
【図１】
2015004218.tif 000003
【図２】
2015004218.tif 000004
【図３】
2015004218.tif 000005
【図４】
2015004218.tif 000006
【図５】
2015004218.tif 000007
【図６】
2015004218.tif 000008
【図７】
2015004218.tif 000009
【図８】
2015004218.tif 000010
【図９】
2015004218.tif 000011
【図１０】
2015004218.tif 000012
【図１１】
2015004218.tif 000013
【図１２】
2015004218.tif 000014
【図１３】
2015004218.tif 000015
【図１４】
2015004218.tif 000016
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
サッシの室外側に設置され、室外からの吹き上げによって、サッシの隙間から雨水が室内に侵入するのを防止する吹上防止板であって、
水平方向に長い平板状に形成された吹上防止板本体からなり、
吹上防止板本体の左右の短辺側には留め金具が取り付けられ、
吹上防止板本体の左右の短辺側には下端部に隙間を設けるようにしてサッシとの隙間を塞ぐ緩衝部材が取り付けられ、
吹上防止板本体の上方の長辺側にはサッシとの隙間を塞ぐ弾性部材が取り付けられ、
サッシの縦枠を留め金具で挟むようにして吹上防止板本体をサッシに固定して設置したときに、
弾性部材が反り返るように撓むことで吹上防止板本体とサッシとの隙間を塞ぎ、
緩衝部材が吹上防止板本体とサッシの縦枠との隙間を密に塞ぐとともに、下端側に設けられた隙間から吹上防止板本体とサッシの間に浸入した雨水を排出するほか、強風による吹上防止板に対する衝撃を吸収する
ことを特徴とする吹上防止板。
【請求項２】
吹上防止板本体が、
上下左右の四辺の枠体と、
左右の枠体のそれぞれに結合されている２枚のスライド板とからなり、
２枚のスライド板が、枠体に沿ってスライド可能に重ね合わされていることで伸張できる
ことを特徴とする請求項１に記載の吹上防止板。
【請求項３】
留め金具が、
一方の端部が吹上防止板本体への取付面となり、取付面から連続した一枚の板状の他方の端部がサッシの縦枠への挟持面となり、
取付面に対し、挟持面が浮き上がるようにクランク状に屈曲した形状をなしており、
取付面、挟持面のそれぞれに設けられた長孔にビスを挿して留め、サッシの縦枠を挟むようにして吹上防止板本体をサッシに固定して設置する
ことを特徴とする請求項１または２に記載の吹上防止板。
【請求項４】
弾性部材が、
複数の帯状からなり、並列に取り付けられている
ことを特徴とする請求項１乃至３のいずれかの項に記載の吹上防止板。